(57)【要約】  【課題】  光ディスクへのパレンタルレベルの書き込みを不要とし、また、パレンタルレベルが書き込まれていない光ディスクであっても、視聴制限することができる機能を有する光ディスク再生装置を提供する。  【解決手段】  有害語句情報とユーザの個人情報とをフラッシュＲＯＭ２３に予め記憶しておき、光ディスク１に対する再生処理が開始し、光ディスク１から読み出されたタイトルやチャプターに前記有害語句情報に含まれる有害語句が有る場合は、前記記憶されている個人情報を持っていて視聴権限を有するユーザにのみ、光ディスク１の情報を再生可能にするシステムコントローラ２２を備えたので、光ディスクへのパレンタルレベルの書き込み作業が不要になり、また、パレンタルレベルが書き込まれていない光ディスクであっても、視聴制限を行うことができる。【選択図】      図１
2005071554.tif 000002
【特許請求の範囲】
【請求項１】
光ディスクに記録された情報を再生する光ディスク再生装置において、変更可能な設定
年齢以下の視聴者にとっては有害となる有害語句情報と、視聴権限を有する一人以上のユ
ーザの個人情報とを、メモリに予め記憶しておき、当該光ディスクに対する再生処理が開
始し、当該光ディスクから読み出されたディスク内容を示すタイトルやチャプターに有害
語句が含まれているか否かを前記メモリに記憶されている有害語句情報に基づいて判定す
る有害語句判定手段と、前記タイトルやチャプターに有害語句が含まれると判定された場
合に、入力された個人情報が前記メモリに記憶されている個人情報に含まれているか否か
を検出して、前記入力された個人情報は読み込めたか否かを判定する個人情報読込み判定
手段と、前記タイトルやチャプターに有害語句が含まれていないと判定された場合、ある
いは前記入力された個人情報は読み込めたと判定された場合に、通常の再生処理を行う通
常再生処理手段と、前記入力された個人情報は読み込めなかったと判定された場合に、再
生を無効にする処理を行う再生無効処理手段とを有するシステムコントローラを備えたこ
とを特徴とする光ディスク再生装置。
【請求項２】
光ディスクに記録された情報を再生する光ディスク再生装置において、設定年齢以下の
視聴者にとっては有害となる有害語句情報と、視聴権限を有する一人以上のユーザの個人
情報とを、メモリに予め記憶しておき、当該光ディスクに対する再生処理が開始し、当該
光ディスクから読み出されたディスク情報に前記メモリに記憶されている有害語句が含ま
れている場合は、前記メモリに記憶されている個人情報を持っていて視聴権限を有するユ
ーザにのみ当該光ディスクの情報を再生可能にするように制御を行うシステムコントロー
ラを備えたことを特徴とする光ディスク再生装置。
【請求項３】
前記ディスク情報とはディスク内容を示すタイトルやチャプターであることを特徴とす
る請求項２に記載の光ディスク再生装置。
【請求項４】
前記設定年齢は変更可能であることを特徴とする請求項２に記載の光ディスク再生装置
。
【請求項５】
前記システムコントローラは、当該光ディスクに対する再生処理が開始し、当該光ディ
スクから読み出されたディスク内容を示すタイトルやチャプターに有害語句が含まれてい
るか否かを前記メモリに記憶されている有害語句情報に基づいて判定する有害語句判定手
段と、前記タイトルやチャプターに有害語句が含まれると判定された場合に、入力された
個人情報が前記メモリに記憶されている個人情報に含まれているか否かを検出して、前記
入力された個人情報は読み込めたか否かを判定する個人情報読込み判定手段と、前記タイ
トルやチャプターに有害語句が含まれていないと判定された場合、あるいは前記入力され
た個人情報は読み込めたと判定された場合に、通常の再生処理を行う通常再生処理手段と
、前記入力された個人情報は読み込めなかったと判定された場合に、再生を無効にする処
理を行う再生無効処理手段とを有することを特徴とする請求項２に記載の光ディスク再生
装置。
【発明の詳細な説明】
【技術分野】
【０００１】
本発明は、光ディスクに記録された情報を再生する光ディスク再生装置に関し、特に、
視聴制限を行うパレンタル機能を有する光ディスク再生装置に関する。
【背景技術】
【０００２】
近年、ＤＶＤ（Digital Versatile Disk）などの光ディスクが普及しつつあり、このＤ
ＶＤにはデジタル圧縮された映像情報および音声情報が記録されている。ところで、ＤＶ
Ｄに記録されている映画などには、暴力シーンやわいせつシーンなど、子供の教育上好ま
しくないシーンが含まれていることが多い。そこで、近年、このような教育上問題のある
シーンについては、その再生に対して何らかの視聴制限の規制が設けられている。このよ
うな規制をパレンタルと呼び、ＤＶＤなどの光ディスクには内容に応じて視聴制限を行う
パレンタルレベルが予め設定されている。
【０００３】
一方、ＤＶＤなどの光ディスクの情報を再生する光ディスク再生装置では、光ディスク
の情報の再生を制限するパレンタル機能を有し、ユーザにより設定された装置のパレンタ
ルレベルがメモリに記憶されている。例えば、パレンタルレベルが低い方から順番に１，
２，３，４，５，６，７，８のレベルがあり、装置のパレンタルレベルが５に設定されて
いる場合、光ディスクではパレンタルレベル５以下の情報が再生できるが、パレンタルレ
ベル６，７，８の情報は再生することができないようになっている。
【０００４】
装置のパレンタルレベルは、ユーザが光ディスク再生装置のリモートコントローラなど
を操作して任意に設定できるようになっている。また、装置のパレンタルレベルを変更す
るときは、ユーザが予め登録した数桁の数列からなる暗証番号をパスワードとして装置に
入力し、パレンタルロックを解除してパレンタルレベルの変更を行っている。
【０００５】
例えば、特許文献１に記載の従来技術では、ＤＶＤが装置に装填され、ＤＶＤの本編情
報が再生される前に、再生されたタイトルのうち所望タイトルが選択されると、システム
コントロール部はＤＶＤ再生部を制御して、所望タイトルの先頭から、映画、音楽、サブ
ピクチャなどのプレゼンテーション情報（本編情報）を再生させる。再生中、システムコ
ントロール部は、ＤＶＤから事前に読み出し記憶しておいた各種再生制御用情報を参照し
て再生位置を監視し、所望タイトルの中の視聴制限区間に差し掛かると、再生を一時停止
させる。
【特許文献１】特開２００１−４３６３０号公報
【発明の開示】
【発明が解決しようとする課題】
【０００６】
しかしながら、前述したような従来技術では、光ディスクに予め書き込まれているパレ
ンタルレベルと装置側に設定されているパレンタルレベルとによってパレンタル機能（視
聴制限機能）を実施しているので、パレンタル機能を実現するために、光ディスクへのパ
レンタルレベルの書き込みを行わなければならず、これにより、光ディスクへのパレンタ
ルレベルの書き込み作業による光ディスクのコストアップを招いたり、また、装置側にお
いては、パレンタルレベルが書き込まれていない光ディスクに対しては、視聴制限されな
いので、子供は勿論、誰でも自由に視聴することができるようになり、非常に問題となる
。
【０００７】
本発明は、上記のような課題を解決するためになされたもので、光ディスクへのパレン
タルレベルの書き込みを不要とし、また、パレンタルレベルが書き込まれていない光ディ
スクであっても、視聴制限することができる機能を有する光ディスク再生装置を提供する
ことを目的とする。
【課題を解決するための手段】
【０００８】
上記目的を達成するために、請求項１の発明は、変更可能な設定年齢以下の視聴者にと
っては有害となる有害語句情報と、視聴権限を有する一人以上のユーザの個人情報とを、
メモリに予め記憶しておき、当該光ディスクに対する再生処理が開始し、当該光ディスク
から読み出されたディスク内容を示すタイトルやチャプターに有害語句が含まれているか
否かを前記メモリに記憶されている有害語句情報に基づいて判定する有害語句判定手段と
、前記タイトルやチャプターに有害語句が含まれると判定された場合に、入力された個人
情報が前記メモリに記憶されている個人情報に含まれているか否かを検出して、前記入力
された個人情報は読み込めたか否かを判定する個人情報読込み判定手段と、前記タイトル
やチャプターに有害語句が含まれていないと判定された場合、あるいは前記入力された個
人情報は読み込めたと判定された場合に、通常の再生処理を行う通常再生処理手段と、前
記入力された個人情報は読み込めなかったと判定された場合に、再生を無効にする処理を
行う再生無効処理手段とを有するシステムコントローラを備えたことを特徴とする光ディ
スク再生装置を提供する。
【０００９】
この構成において、当該光ディスクに対する再生処理が開始し、当該光ディスクから読
み出されたディスク内容を示すタイトルやチャプターに有害語句が含まれているか否かが
前記メモリに記憶されている有害語句情報に基づいて判定される。前記タイトルやチャプ
ターに有害語句が含まれると判定された場合、入力された個人情報が前記メモリに記憶さ
れている個人情報に含まれているか否かが検出されて、前記入力された個人情報は読み込
めたか否かが判定される。
【００１０】
即ち、ユーザにより入力された個人情報が前記メモリ内に有れば、その個人情報は読み
込まれるので、前記入力された個人情報は読み込めたと判定される。一方、ユーザにより
入力された個人情報が前記メモリ内に無ければ、その個人情報は読み込まれないので、前
記入力された個人情報は読め込めなかったと判定される。
【００１１】
前記タイトルやチャプターに有害語句が含まれていないと判定された場合、あるいは前
記入力された個人情報は読み込めたと判定された場合には、通常の再生処理が行われる。
前記入力された個人情報は読み込めなかったと判定された場合には、再生を無効にする処
理が行われる。
【００１２】
この構成によれば、光ディスクに記録されているタイトルやチャプターに含まれる有害
語句情報、およびユーザの個人情報に基づいて視聴制限がされるので、光ディスクへのパ
レンタルレベルの書き込み作業が不要になって、光ディスクのコストアップを抑制でき、
また、パレンタルレベルが書き込まれていない光ディスクであっても、視聴制限を行うこ
とができ、パレンタルの精度が向上する。
【００１３】
請求項２の発明は、設定年齢以下の視聴者にとっては有害となる有害語句情報と、視聴
権限を有する一人以上のユーザの個人情報とを、メモリに予め記憶しておき、当該光ディ
スクに対する再生処理が開始し、当該光ディスクから読み出されたディスク情報に前記メ
モリに記憶されている有害語句が含まれている場合は、前記メモリに記憶されている個人
情報を持っていて視聴権限を有するユーザにのみ、当該光ディスクの情報を再生可能にす
るように制御を行うシステムコントローラを備えたことを特徴とする光ディスク再生装置
を提供する。
【００１４】
この構成において、当該光ディスクに対する再生処理が開始し、当該光ディスクから読
み出されたディスク情報に前記メモリに記憶されている有害語句が含まれている場合は、
視聴制限をしなければならないので、前記メモリに記憶されている個人情報を持っていて
視聴権限を有するユーザにのみ、当該光ディスクの情報が再生可能になる。
【００１５】
この構成によれば、ディスク情報に含まれる有害語句情報、およびユーザの個人情報に
基づいて視聴制限がされるので、光ディスクへのパレンタルレベルの書き込み作業が不要
になって、光ディスクのコストアップを抑制でき、また、パレンタルレベルが書き込まれ
ていない光ディスクであっても、視聴制限を行うことができ、パレンタルの精度が向上す
る。
【００１６】
請求項３の発明においては、請求項２の発明の光ディスク再生装置におけるディスク情
報とはディスク内容を示すタイトルやチャプターであるので、タイトルやチャプターに有
害語句情報が含まれていた場合、視聴制限を行うことができる。
【００１７】
請求項４の発明においては、請求項２の発明の光ディスク再生装置における設定年齢は
変更可能であるので、視聴者の年齢に応じてパレンタルレベルを変更でき、使い勝手が向
上する。
【００１８】
請求項５の発明においては、請求項２の発明の光ディスク再生装置におけるシステムコ
ントローラは、当該光ディスクに対する再生処理が開始し、当該光ディスクから読み出さ
れたディスク内容を示すタイトルやチャプターに有害語句が含まれているか否かをメモリ
に記憶されている有害語句情報に基づいて判定する有害語句判定手段と、前記タイトルや
チャプターに有害語句が含まれると判定された場合に、入力された個人情報が前記メモリ
に記憶されている個人情報に含まれているか否かを検出して、前記入力された個人情報は
読み込めたか否かを判定する個人情報読込み判定手段と、前記タイトルやチャプターに有
害語句が含まれていないと判定された場合、あるいは前記入力された個人情報は読み込め
たと判定された場合に、通常の再生処理を行う通常再生処理手段と、前記入力された個人
情報は読み込めなかったと判定された場合に、再生を無効にする処理を行う再生無効処理
手段とを有するので、光ディスクに記録されているタイトルやチャプターに含まれる有害
語句情報、およびユーザの個人情報に基づいて、視聴制限を行うことが可能となる。
【発明の効果】
【００１９】
以上のように本発明によれば、変更可能な設定年齢以下の視聴者にとっては有害となる
有害語句情報と、視聴権限を有する一人以上のユーザの個人情報とを、メモリに予め記憶
しておき、当該光ディスクに対する再生処理が開始し、当該光ディスクから読み出された
ディスク内容を示すタイトルやチャプターに有害語句が含まれているか否かを前記メモリ
に記憶されている有害語句情報に基づいて判定する有害語句判定手段と、前記タイトルや
チャプターに有害語句が含まれると判定された場合に、入力された個人情報が前記メモリ
に記憶されている個人情報に含まれているか否かを検出して、前記入力された個人情報は
読み込めたか否かを判定する個人情報読込み判定手段と、前記タイトルやチャプターに有
害語句が含まれていないと判定された場合、あるいは前記入力された個人情報は読み込め
たと判定された場合に、通常の再生処理を行う通常再生処理手段と、前記入力された個人
情報は読み込めなかったと判定された場合に、再生を無効にする処理を行う再生無効処理
手段とを有するシステムコントローラを備えたので、光ディスクに記録されているタイト
ルやチャプターに含まれる有害語句情報、およびユーザの個人情報に基づいて視聴制限を
行うことができ、したがって、光ディスクへのパレンタルレベルの書き込み作業が不要に
なって、光ディスクのコストアップを抑制でき、また、パレンタルレベルが書き込まれて
いない光ディスクであっても、視聴制限を行うことができ、パレンタルの精度が向上する
。
【００２０】
請求項２の発明は、設定年齢以下の視聴者にとっては有害となる有害語句情報と、視聴
権限を有する一人以上のユーザの個人情報とを、メモリに予め記憶しておき、当該光ディ
スクに対する再生処理が開始し、当該光ディスクから読み出されたディスク情報に前記メ
モリに記憶されている有害語句が含まれている場合は、前記メモリに記憶されている個人
情報を持っていて視聴権限を有するユーザにのみ当該光ディスクの情報を再生可能にする
ように制御を行うシステムコントローラを備えたので、ディスク情報に含まれる有害語句
情報、およびユーザの個人情報に基づいて視聴制限を行うことができ、したがって、光デ
ィスクへのパレンタルレベルの書き込み作業が不要になって、光ディスクのコストアップ
を抑制でき、また、パレンタルレベルが書き込まれていない光ディスクであっても、視聴
制限を行うことができ、パレンタルの精度が向上する。
【発明を実施するための最良の形態】
【００２１】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２２】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２３】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
【００２４】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して画像をディスプレイ装置２０に表示させるビデオエンコ
ーダ１８と、オーディオデコーダ１１から出力されたデータをアナログのオーディオ信号
に変換して例えばスピーカ１９に供給するＤ／Ａ変換器１６とを備えている。
【００２５】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２６】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。特に、本実施形態の場合、変更可能な設定年齢以下
の視聴者にとっては有害となる有害語句情報と、視聴権限を有する一人以上のユーザの個
人情報とが、フラッシュＲＯＭ２３に予め記憶されている。なお、有害語句情報は、光デ
ィスク再生装置の出荷前に工場などでフラッシュＲＯＭ２３に書き込まれる。また、有害
語句情報は、ユーザの光ディスク再生装置への入力操作によっても追加可能である。また
、ユーザの個人情報は、パスワードなどであり、ユーザの光ディスク再生装置への入力操
作によってフラッシュＲＯＭ２３に書き込まれる。
【００２７】
本実施形態の特徴としてシステムコントローラ２２には、当該光ディスクに対する再生
処理が開始し、当該光ディスクから読み出されたディスク内容を示すタイトルやチャプタ
ーに有害語句が含まれているか否かをフラッシュＲＯＭ２３に記憶されている有害語句情
報に基づいて判定する有害語句判定手段２２１と、前記タイトルやチャプターに有害語句
が含まれると判定された場合に、入力された個人情報が前記フラッシュＲＯＭ２３に記憶
されている個人情報に含まれているか否かを検出して、前記入力された個人情報は読み込
めたか否かを判定する個人情報読込み判定手段２２２と、前記タイトルやチャプターに有
害語句が含まれていないと判定された場合、あるいは前記入力された個人情報は読み込め
たと判定された場合に、通常の再生処理を行う通常再生処理手段２２３と、前記入力され
た個人情報は読み込めなかったと判定された場合に、再生を無効にする処理を行う再生無
効処理手段２２４とが備えられている。
【００２８】
図２は、本実施形態において光ディスクに記録される情報のフォーマット構成の一例を
示す図である。図２において、領域３１は、各制御情報の位置情報、タイトル検索用情報
、ビデオ属性情報、オーディオ属性情報などが記録される領域である。領域３２は、領域
３１のメニューのビデオ・オーディオデータ群を示すＶＯＢＳ（ビデオ・オブジェクト・
セット）が記録される領域である。領域３３は、領域３１のバックアップデータが記録さ
れる領域である。
【００２９】
なお、本実施形態で言うディスク情報であるタイトルとは、領域３１に有るタイトル検
索用情報のことを言う。このタイトル検索用情報にはタイトル名などが含まれ、このタイ
トル名などによりタイトルの再生内容がどういうものであるかが概略的に分かり、このタ
イトル名などに有害語句が含まれる場合がある。
【００３０】
３４は、各制御情報の位置情報、チャプター検索用情報、タイトル再生用情報、タイト
ルのセルのアドレス情報テーブル、タイトルのＶＯＢＵ（ビデオ・オブジェクト・ユニッ
ト）のアドレス情報テーブルなどが記録される領域である。３５は、タイトル♯１のＶＯ
ＢＳが記録される領域である。３６は、領域３４のバックアップデータが記録される領域
である。
【００３１】
３７は、各制御情報の位置情報、チャプター検索用情報、タイトル再生用情報、タイト
ルのセルのアドレス情報テーブル、タイトルのＶＯＢＵのアドレス情報テーブルなどが記
録される領域である。３８は、タイトル♯２のＶＯＢＳが記録される領域である。３９は
、領域３７のバックアップデータが記録される領域である。
【００３２】
なお、本実施形態で言うディスク情報であるチャプターとは、領域３４や領域３７など
に有るチャプター検索用情報のことを言う。このチャプター検索用情報にはチャプター名
などが含まれ、このチャプター名などによりチャプターの再生内容がどういうものである
かが概略的に分かり、このチャプター名などに有害語句が含まれる場合がある。
【００３３】
図３は本実施形態の光ディスク再生装置における視聴制限機能の動作を説明するための
フローチャートである。このフローチャートを参照して視聴制限機能の動作について説明
する。
【００３４】
この光ディスク再生装置において、再生しようとする光ディスク１が装填され、操作部
２１の再生キーが押下されると（ステップＳ１）、システムコントローラ２２は再生処理
を開始する（ステップＳ２）。これにより、光ディスク１からのディスク情報が、光ピッ
クアップ２、ＲＦアンプ６、デジタル信号処理部８、ストリーム分離部９、ビデオデコー
ダ１５、ビデオプロセッサ１７、およびビデオエンコーダ１８を介して読み出され（ステ
ップＳ３）、ディスプレイ装置２０に表示される（ステップＳ４）。この表示されるディ
スク情報とは、ディスク内容を示すタイトルやチャプターである。
【００３５】
次に、システムコントローラ２２の有害語句判定手段２２１により、前記タイトルやチ
ャプターに有害語句が含まれているか否かが、フラッシュＲＯＭ２３に記憶されている有
害語句情報に基づいて判定される（ステップＳ５）。即ち、タイトルやチャプターに含ま
れている有害語句が、フラッシュＲＯＭ２３に記憶されている有害語句情報の中に存在し
ているか否かが判定される。この判定の結果、タイトルやチャプターに有害語句が含まれ
ていないことが分かった場合は、通常の再生処理（ステップＳ９）に移るが、タイトルや
チャプターに有害情報が含まれていることが分かった場合には、以降の処理で視聴制限が
行われる。
【００３６】
次に、ユーザは操作部２１を操作してパスワードなどの個人情報の入力を行う（ステッ
プＳ６）。この個人情報の入力に応答したシステムコントローラ２２の個人情報読込み判
定手段２２２により、前記個人情報はフラッシュＲＯＭ２３に記憶されている個人情報に
含まれているか否かが判定される（ステップＳ７）。即ち、ユーザにより入力された個人
情報がフラッシュＲＯＭ２３に有るか否かが判定される。
【００３７】
入力された個人情報がフラッシュＲＯＭ２３に有った場合、その個人情報は装置に読込
み可能となるので、個人情報読込み判定手段２２２により、その個人情報を読み込めたと
判定され（ステップＳ８）、次に、通常再生処理手段２２３により、当該タイトルやチャ
プターに対応する本編情報の通常の再生処理が行われる（ステップＳ９）。そして、この
視聴制限に関する処理は終了する。
【００３８】
一方、入力された個人情報がフラッシュＲＯＭ２３に無かった場合、その個人情報は装
置には受け付けられないので、個人情報読込み判定手段２２２により、その個人情報を読
み込めなかったと判定され（ステップＳ１０）、次に、再生無効処理手段２２４により、
当該有害語句を含むタイトルやチャプターに対応する本編情報の再生を無効にする再生無
効処理が行われる（ステップＳ１１）。そして、この視聴制限に関する処理は終了する。
【００３９】
以上説明したように本実施形態によれば、変更可能な設定年齢以下の視聴者にとっては
有害となる有害語句情報と、視聴権限を有する一人以上のユーザの個人情報とを、フラッ
シュＲＯＭ２３に予め記憶しておき、光ディスク１に対する再生処理が開始し、光ディス
ク１から読み出されたディスク内容を示すタイトルやチャプターに有害語句が含まれてい
るか否かをフラッシュＲＯＭ２３に記憶されている有害語句情報に基づいて判定する有害
語句判定手段２２１と、前記タイトルやチャプターに有害語句が含まれると判定された場
合に、入力された個人情報がフラッシュＲＯＭ２３に記憶されている個人情報に含まれて
いるか否かを検出して、前記入力された個人情報は読み込めたか否かを判定する個人情報
読込み判定手段２２２と、前記タイトルやチャプターに有害語句が含まれていないと判定
された場合、あるいは前記入力された個人情報は読み込めたと判定された場合に、通常の
再生処理を行う通常再生処理手段２２３と、前記入力された個人情報は読み込めなかった
と判定された場合に、再生を無効にする処理を行う再生無効処理手段２２４とを有するシ
ステムコントローラ２２を備えたので、光ディスク１に記録されているタイトルやチャプ
ターに含まれる有害語句情報、およびユーザの個人情報に基づいて視聴制限を行うことが
でき、したがって、光ディスクへのパレンタルレベルの書き込み作業が不要になって、光
ディスクのコストアップを抑制でき、また、パレンタルレベルが書き込まれていない光デ
ィスクであっても、視聴制限を行うことができ、パレンタルの精度が向上する。
【図面の簡単な説明】
【００４０】
【図１】本発明の一実施形態に係る光ディスク再生装置の構成を示すブロック図である。
【図２】前記実施形態において光ディスクに記録される情報のフォーマット構成の一例を示す図である。
【図３】前記実施形態の光ディスク再生装置における視聴制限機能の動作を説明するためのフローチャートである。
【符号の説明】
【００４１】
１    光ディスク
２２    システムコントローラ
２３    フラッシュＲＯＭ（メモリ）
２２１    有害語句情報判定手段
２２２    個人情報読込み判定手段
２２３    通常再生処理手段
２２４    再生無効処理手段
【図１】
2005071554.tif 000003
【図２】
2005071554.tif 000004
【図３】
2005071554.tif 000005